(57)【要約】【課題】撮影付属情報を撮影画像と関連付けて記録することができ、かつ撮影付属情報を撮影シーンに容易に写し込むことができる撮影システムを提供する。【解決手段】電子黒板装置１００は、撮影対象ごとの撮影付属情報を予め記憶しており、任意の撮影対象の撮影付属情報を選択し、ＬＣＤ１０１全体に表示できる。電子黒板装置１００を撮影対象と共に撮影し記録することにより、撮影付属情報を撮影シーンに容易に写し込むことができる。ＬＣＤ１０１に表示された撮影付属情報はデジタルカメラに送信され、撮影した画像と関連付けて記録媒体に記録される。ＬＣＤ１０１の前面はタッチパネル１０２になっており、現場で簡単に撮影付属情報を追加できる。追加情報もデジタルカメラに送信され画像と関連付けて記録される。【選択図】　　　図１
2004120370.tif 000002
【特許請求の範囲】
【請求項１】
撮影対象に関する情報を含む撮影付属情報を、撮影した画像と関連付けて記録する撮影システムにおいて、
互いに無線通信可能な電子黒板装置とデジタルカメラとを備え、
前記電子黒板装置は、
撮影対象ごとの撮影付属情報を予め記憶した撮影付属情報記憶手段と、
前記撮影付属情報記憶手段に記憶されている撮影付属情報の中から任意の撮影対象の撮影付属情報を選択するための選択手段と、
前記選択手段により選択された撮影付属情報を表示する表示手段と、
前記選択手段により選択された撮影付属情報を前記デジタルカメラに送信する送信手段とを備え、
前記デジタルカメラは、
前記電子黒板装置から受信した撮影付属情報を、撮影した画像と関連付けて記録媒体に記録する記録手段を備え、
前記電子黒板装置に表示中の撮影付属情報を撮影対象と共に前記デジタルカメラで撮影することを特徴とする撮影システム。
【請求項２】
撮影対象に関する情報を含む撮影付属情報を、撮影した画像と関連付けて記録する撮影システムにおいて、
互いに無線通信可能なデジタルカメラと電子黒板装置とを備え、
前記デジタルカメラは、
撮影対象ごとの撮影付属情報を予め記憶した撮影付属情報記憶手段と、
前記撮影付属情報記憶手段に記憶されている撮影付属情報の中から任意の撮影対象の撮影付属情報を選択するための選択手段と、
前記選択手段により選択された撮影付属情報を前記電子黒板装置に送信する送信手段と、
前記選択手段により選択された撮影付属情報を、撮影した画像と関連付けて記録媒体に記録する記録手段を備え、
前記電子黒板装置は、
前記デジタルカメラから受信した撮影付属情報を表示する表示手段を備え、
前記電子黒板装置に表示中の撮影付属情報を撮影対象と共に前記デジタルカメラで撮影することを特徴とする撮影システム。
【請求項３】
前記電子黒板装置は、
前記表示手段により表示中の撮影付属情報に任意の追加情報を加えるための追加情報入力手段と、
前記追加情報入力手段により入力された追加情報を、撮影付属情報に含めて前記表示手段に表示させるとともに前記デジタルカメラに送信させる制御手段とを備え、
前記デジタルカメラは、
前記電子黒板装置から受信した前記追加情報を、撮影した画像と関連付けて前記記録媒体に記録させる制御手段を備えたことを特徴とする請求項１または２記載の撮影システム。
【請求項４】
前記追加情報入力手段は、手書き入力が可能な入力手段であることを特徴とする請求項３記載の撮影システム。
【発明の詳細な説明】
【０００１】
【発明の属する技術分野】
本発明は、撮影対象に関する情報を含む撮影付属情報を、撮影した画像と関連付けて記録する撮影システムに関する。
【０００２】
【従来の技術】
従来、工事現場や製造工場等における作業状況をデジタルカメラで撮影し記録するカメラシステムが知られている（特許文献１参照）。このカメラシステムは、撮影すべき個々の画像に関する撮影付属情報（撮影対象、シーン、撮影対象の書誌事項等を含む撮影情報）を、画像データベース管理用のコンピュータで作成し、作成した撮影付属情報をデジタルカメラに送信し記憶させ、撮影した画像データと撮影付属情報とを関連付けて記録し、さらに撮影した画像と撮影付属情報をコンピュータに送信して、管理するものである。撮影付属情報は、その日に撮影しなければならない画像について作成されるので、撮影付属情報にしたがって撮影を行い、撮影済の撮影付属情報と撮影前の撮影付属情報とを識別する情報を管理することにより、撮影もれの防止を図ることもできる。
【０００３】
【特許文献１】
特開２００１−２４９８２号公報
【０００４】
【発明が解決しようとする課題】
しかし、上記公報記載のカメラシステムでは、撮影した画像と撮影付属情報とを関連付けて記録し管理することは可能であるが、撮影付属情報を撮影対象と共に撮影シーンに写し込むことができないため、撮影した画像を工事依頼主等へ提出する写真として使用することができない場合がある。また、撮影付属情報が撮影シーンに写し込まれていないため、専用の再生用プログラムがないと撮影付属情報を確認することができない。また、現場において臨機応変に追加、変更される撮影付属情報をデジタルカメラ上で編集することは困難である。
【０００５】
本発明は、上記事情に鑑みなされたもので、撮影対象に関する情報を含む撮影付属情報を、撮影画像と関連付けて記録することができ、かつ撮影付属情報を撮影対象とともに撮影シーンに容易に写し込むことができる撮影システムを提供することを目的とするものである。
【０００６】
【課題を解決するための手段】
第１の発明の撮影システムは、撮影対象に関する情報を含む撮影付属情報を、撮影した画像と関連付けて記録する撮影システムにおいて、互いに無線通信可能な電子黒板装置とデジタルカメラとを備え、前記電子黒板装置は、撮影対象ごとの撮影付属情報を予め記憶した撮影付属情報記憶手段と、前記撮影付属情報記憶手段に記憶されている撮影付属情報の中から任意の撮影対象の撮影付属情報を選択するための選択手段と、前記選択手段により選択された撮影付属情報を表示する表示手段と、前記選択手段により選択された撮影付属情報を前記デジタルカメラに送信する送信手段とを備え、前記デジタルカメラは、前記電子黒板装置から受信した撮影付属情報を、撮影した画像と関連付けて記録媒体に記録する記録手段を備え、前記電子黒板装置に表示中の撮影付属情報を撮影対象と共に前記デジタルカメラで撮影するものである。
【０００７】
第２の発明の撮影システムは、撮影対象に関する情報を含む撮影付属情報を、撮影した画像と関連付けて記録する撮影システムにおいて、互いに無線通信可能なデジタルカメラと電子黒板装置とを備え、前記デジタルカメラは、撮影対象ごとの撮影付属情報を予め記憶した撮影付属情報記憶手段と、前記撮影付属情報記憶手段に記憶されている撮影付属情報の中から任意の撮影対象の撮影付属情報を選択するための選択手段と、前記選択手段により選択された撮影付属情報を前記電子黒板装置に送信する送信手段と、前記選択手段により選択された撮影付属情報を、撮影した画像と関連付けて記録媒体に記録する記録手段を備え、前記電子黒板装置は、前記デジタルカメラから受信した撮影付属情報を表示する表示手段を備え、前記電子黒板装置に表示中の撮影付属情報を撮影対象と共に前記デジタルカメラで撮影するものである。
【０００８】
第１または第２の発明の撮影システムにおいて、前記電子黒板装置は、前記表示手段により表示中の撮影付属情報に任意の追加情報を加えるための追加情報入力手段と、前記追加情報入力手段により入力された追加情報を、撮影付属情報に含めて前記表示手段に表示させるとともに前記デジタルカメラに送信させる制御手段とを備え、前記デジタルカメラは、前記電子黒板装置から受信した前記追加情報を、撮影した画像と関連付けて前記記録媒体に記録させる制御手段を備えていることが望ましい。
【０００９】
前記追加情報入力手段は、手書き入力が可能な入力手段であることが望ましい。
【００１０】
【発明の実施の形態】
以下、本発明の実施の形態について、図面を用いて説明する。図１は、本発明に係る撮影システムにおける電子黒板の形態例を示す外観図、図２は、本発明に係る撮影システムにおけるデジタルカメラの形態例を示す外観図である。
【００１１】
図１に示すように、電子黒板装置１００は、全体的に略平板形状に形成されており、その前面部の大部分は大型のＬＣＤ１０１とそれを覆うタッチパネル１０２とで構成されている。ＬＣＤ１０１には、「工事名」、「工種」、「位置」、「設計寸法」、「設計寸法」、「実測寸法」、「立会監査員」、「略図」といった撮影付属情報の項目とその内容が所定のレイアウトで表示されている。電子黒板装置１００の上端部には、図２に示すデジタルカメラ２００と無線通信するためのアンテナ１０３が設けられている。側面部にはＵＳＢコネクタ１１０が設けられている。
【００１２】
図２に示すように、デジタルカメラ２００は、電源スイッチ２０１、レリーズボタン２０２、モニタ用ＬＣＤ２０３など、一般的なデジタルカメラの構成要素の他に、図１に示す電子黒板装置１００と無線通信するためのアンテナ２０４を備えている。アンテナ２０４はデジタルカメラ２００の上面一端部に設けられている。
【００１３】
図３は、電子黒板装置１００の構成例を示すブロック図である。電子黒板装置１００は、上述したＬＣＤ１０１、タッチパネル１０２、アンテナ１０３、およびＵＳＢコネクタ１１０の他に、ＣＰＵ１０４、システムメモリ（ＲＯＭ／ＲＡＭ）１０５、不揮発性メモリ１０６、タイマ１０７、カレンダ時計１０８、ＵＳＢインタフェース１０９、操作部１１１、無線インタフェース１１２、タッチパネルインタフェース１１３、ＬＣＤ制御部１１４、フレームメモリ１１５、入出力インタフェース１１６、およびバッテリ１１７を備えて構成される。
【００１４】
ＣＰＵ１０４は、システムメモリ１０５に格納されているプログラムに従って電子黒板装置１００の全体の動作を統括制御する。ＣＰＵ１０４とそれ以外の各部はシステムバス１１８によって相互に接続されている。
【００１５】
電子黒板装置１００は、ＰＣ（パーソナルコンピュータ）とＵＳＢ接続することにより、ＰＣ上で予め作成された写真リストを受け取ることができるようになっている。その際、ＵＳＢコネクタ１１０がＵＳＢケーブルでパーソナルコンピュータと接続される。不揮発性メモリ１０６には、ＰＣから取得した写真リストのデータや、タッチパネル１０２を使用して手書き入力された実測寸法値や略図のデータが格納される。不揮発性メモリ１０６に格納されたデータは、電源を切ってもそのまま保持される。システムメモリ１０５には、タッチパネル１０２の「略図」の表示領域に手書き入力されたビットマップデータを表示するプログラムや、「実測寸法」の表示領域に手書き入力されたビットマップ（ＢＭＰ）データと筆順データとに基づいて文字（実測寸法値）を生成するプログラムなどが格納されている。タイマ１０７、カレンダ時計１０８は、各種処理タイミングの制御、各種情報の記録管理等に利用される。電子黒板装置１００は、デジタルカメラ２００と無線通信を行って、実測寸法値を含む撮影付属情報や略図のビットマップデータをデジタルカメラ２００に送信する。
【００１６】
図４は、デジタルカメラ２００の構成例を示すブロック図である。デジタルカメラ２００は、上述したモニタ用ＬＣＤ２０３やアンテナ２０４の他に、撮像部２０５、信号処理部部２０６、Ａ／Ｄ変換部２０７、ストロボ制御部２０８、ストロボ２０９、圧縮／伸張部２１０、メモリカードスロット２１１、メモリカード２１２、カードインタフェース２１３、フレームメモリ２１４、ＬＣＤ制御部２１５、入出力インタフェース２１８、操作部２１９、無線インタフェース２２０、ＣＰＵ２２２、システムメモリ２２３、不揮発性メモリ２２４、タイマ２２５、カレンダ時計２２６、ＯＳＤ２２７、およびバッテリ２２８を備えて構成されている。
【００１７】
デジタルカメラ２００は、撮像部２０５、信号処理部部２０６、Ａ／Ｄ変換部２０７によって、デジタル撮影画像信号を得る。また、ストロボ制御部２０８によってストロボ２０９を発光させて、ストロボ撮影を行うことも可能である。デジタル撮影画像信号は、圧縮／伸張部２１０によって圧縮処理が施され、メモリカードスロット２１１に装着されたメモリカード２１２にカードインタフェース２１３を介して記録する。メモリカード２１２への記録は、圧縮された画像データと撮影付属情報を含む画像ファイル単位で行われる。
【００１８】
メモリカード２１２に記録された画像データに基づく画像を表示する場合は、メモリカード２１２から読み出した画像データに対して、圧縮／伸張部２１０で伸張処理を施し、フレームメモリ２１４に書き込む。ＬＣＤ制御部２１５は、フレームメモリ２１４のデータに応じた画像をＬＣＤ２０３に表示させる。ＬＣＤ２０３は、メモリカード２１２の画像データに基づく画像だけでなく、Ａ／Ｄ変換部２０７から得られるデジタル撮像信号に基づく画像を表示することもできる。また、デジタルカメラ２００の各種状態の表示、操作メニューの表示等にも利用される。
【００１９】
入出力インタフェース２１８は、操作部２１９に接続され、デジタルカメラ２００の各種操作情報を入力するとともに、デジタルカメラ２００の状態表示用のＬＥＤに対する信号を出力するものである。操作部２１９は、上述した電源スイッチ２０１、レリーズボタン２０２の他、モード設定ダイヤル２３０、方向キー２３１、メニューボタン２３２，実行ボタン３３３、キャンセルボタン２３４などを備えている（図２参照）。無線インタフェース２２０は、アンテナ２０４を介して外部との無線通信を行うものである。無線通信としては、Ｂｌｕｅｔｏｏｔｈ、ＩｒＤＡ方式の赤外線データ通信、無線ＬＡＮ等が利用できる。なお、外部機器との通信は、有線通信手段を利用するものでもよい。
【００２０】
ＣＰＵ２２２は、デジタルカメラ１００全体の動作を制御するもので、所定のプログラムによって動作するプロセッサを主体に構成される。ＣＰＵ２２２は、撮影動作、画像記録動作、画像表示動作を制御するだけでなく、後述する撮影付属情報の記録管理も行う。システムメモリ２２３および不揮発性メモリ２２４は、デジタルカメラ２００内での各種処理に利用されるデータ、プログラムを記憶したり、作業用メモリとして利用されたりするものであり、タイマ２２５、カレンダ時計２２６は、各種処理タイミングの制御、各種情報の記録管理等に利用される。システムバス２２９は、デジタルカメラ２００の各要素間のデータを転送するものである。
【００２１】
以上のように構成されたデジタルカメラ２００の通常の撮影動作、画像記録動作、画像表示動作は、従来のものと基本的に差異がないので説明を省略する。
【００２２】
このデジタルカメラ２００は、通常の撮影モードだけでなく、撮影対象に関する情報を含む撮影付属情報を、撮影画像データと関連付けて記録する撮影情報記録モードを有しており、電子黒板装置１００と無線通信を行って撮影付属情報や略図のビットマップデータを取得できるようになっている。撮影した画像や略図のビットマップデータはメモリカード２１２に記録される。撮影付属情報の項目としては、撮影対象を特定する「工事名」や「工種」、「位置」、「設計寸法」、「実測寸法」、「立会監査員」、「略図」等の他、撮影日時、画像ファイル名等の項目がユーザの要求に応じて適宜設定される。
【００２３】
図５に、ＰＣから電子黒板装置１００に入力される撮影写真リストおよび撮影付属情報の例を示す。ＰＣから入力された時点では、全写真とも撮影は「未」となっているが、撮影を済ませたものから、電子黒板装置１００が「済」に書き換えていく。また、実測寸法や略図のリンク情報（ファイル名）は、ＰＣから入力された時点では設定されておらず、ユーザが電子黒板装置１００のタッチパネル１０２を使用して現場で手書き入力する。
【００２４】
図６は、電子黒板装置１００のＬＣＤ１０１に表示される撮影写真リスト（撮影付属情報選択画面）１６０の例を示している。撮影付属情報の選択操作は、タッチパネル１０２を通して表示された所望の写真（撮影シーン）番号の矩形領域１２１、１２２、・・・をタッチすることにより行うことができる。ＬＣＤ１０１に全リストを同時に表示しきれない場合は、戻るボタン１３１か進むボタン１３２をタッチすることにより、上下にスクロールさせることができる。既に撮影が終了した写真、すなわち図５の写真リスト中の撮影の項目が「済」のものは、グレーアウト表示され選択できないようになっている。撮影する順序はリストの順に従う必要は必ずしもなく、任意の順序でもかまわない。
【００２５】
電子黒板装置１００のＬＣＤ１０１に撮影写真リストを１画面に表示できない場合、スクロールさせたとしても、全ての写真の撮影が完了したかどうかの判断がし難いので、リストにある全ての写真の撮影が完了した時点で、その旨を別途表示するか、あるいは、撮影未完了の枚数（残り枚数）などを表示する。
【００２６】
図７は、デジタルカメラ２００に記録される画像ファイル２５０のデータ構造を例示している。画像ファイル２５０は、タグ（Ｔａｇ）情報２５１、サムネイル２５２、および主画像２５３を含んで構成される。図示の例のデータ内容は図５の「写真００１」に対応している。タグ（Ｔａｇ）情報２５１には、デジタルカメラ２００が電子黒板装置１００から無線通信により取得した撮影付属情報が格納される。その際、略図については、ビットマップデータを直接格納することはせず、ファイル名等のリンク情報を格納する。リンク情報としては、ファイル名の他、ＵＵＩＤを発番して、略図のビットマップファイルに埋め込むとともに略図のタグに格納してもよい。むろんリンク形式でなく、ビットマップデータを直接格納してもよい。主画像２５３の撮影シーンには、撮影対象（図示の例では橋脚）２５５とともに、撮影付属情報を表示している電子黒板装置１００とスケール２５６が写っている。
【００２７】
次に、上記撮影システムを利用して、撮影情報記録モードで撮影を行う場合の動作を説明する。図８に、電子黒板装置１００およびデジタルカメラ２００の概略フローを示す。電子黒板装置１００には、予め図５に示すような写真リストおよび撮影付属情報が入力されているものとする。
【００２８】
電子黒板装置１００の電源を投入すると、図６に示すような撮影写真リストがＬＣＤ１０１に表示される（ステップＳ１０１）。ユーザはタッチパネル１０２を使用して、ＬＣＤ１０１に表示されている撮影写真リストの中からこれから撮影する写真（撮影シーン）を選択する（ステップＳ１０２）。仮に写真Ｋを選択したとすると、その写真Ｋの撮影付属情報が電子黒板装置１００のＬＣＤ１０１全体に表示される（ステップＳ１０３、図１参照）。ユーザは必要に応じて、タッチパネル１０２を使用して現場にて追加情報を手書き入力することができる（ステップＳ１０４）。手書き入力された情報は必要に応じてテキスト化され（ステップＳ１０５）、あるいはビットマップデータのまま扱われて（ステップＳ１０６）、電子黒板装置１００のＬＣＤ１０１に追加表示される。ユーザは、電子黒板装置１００を撮影対象２５５の傍に設置する。この状態で、電子黒板装置１００はデジタルカメラ２００からの撮影付属情報要求待ちとなるが、その間にユーザによる操作（たとえば画面の特定領域を２回タップするなどの操作）があった場合、撮影写真リストの表示に戻り、別の撮影付属情報を選択し直すことができるようにしてもよい。
【００２９】
デジタルカメラ２００側では、撮影対象２５５および電子黒板装置１００を撮影フレームに納めた状態で、レリーズボタン２０２を押すと撮影対象２５５および電子黒板装置１００を含む撮影シーンの撮影が実行され（ステップＳ２０１）、撮影された画像がモニタ用ＬＣＤ２０３にプレビュー表示される（ステップＳ２０２）。ユーザは、撮影した画像で問題ないか否か判断する（ステップＳ２０３）。問題がある場合は、キャンセルボタン２３４を押して（ステップＳ２０３でＮＧ）、撮影をやり直す。撮影した画像で問題なければ、実行ボタン２３３を押す（ステップＳ２０３でＯＫ）。すると、デジタルカメラ２００から電子黒板装置１００に対し、撮影付属情報要求が送信される。
【００３０】
電子黒板装置１００は、撮影付属情報要求を受け取ると、現在ＬＣＤ１０１に表示中の撮影付属情報および略図のビットマップデータ（ＢＭＰファイル）をデジタルカメラ２００に送信する。その後、撮影写真リスト中の写真Ｋを撮影済みに変更する（ステップＳ１０７）。
【００３１】
デジタルカメラ２００は、電子黒板装置１００から撮影付属情報およびビットマップデータを取得し、それらを撮影した画像（主画像）に添付して、すなわち図７に示すようなフォーマットの画像ファイル２５０としてメモリカード２１２に記録する（ステップＳ２０４）。取得された撮影付属情報は、撮影した画像と重畳してモニタ用ＬＣＤ２０３に一定時間表示される（ステップＳ２０５）。ユーザは、モニタ用ＬＣＤ２０３の表示を見ることにより、記録された撮影付属情報の内容を現場で確認することができる。
【００３２】
上記のように、この実施の形態の撮影システムによれば、撮影対象２５５に関する情報を含む撮影付属情報を電子黒板装置１００に表示させた状態で、撮影対象２５５および電子黒板装置１００を含む撮影シーンをデジタルカメラ２００で撮影するとともに、撮影対象の撮影付属情報をデジタルカメラ２００が電子黒板装置１００から取得して、撮影した画像と関連付けてメモリカード２１２に記録するようにしたので、撮影対象２５５に関する情報を含む撮影付属情報を撮影した画像と関連付けて記録するとともに、撮影対象２５５の撮影付属情報を撮影シーンに容易に写し込むことができる。
【００３３】
また、撮影付属情報が撮影シーンに写し込まれているため、撮影した画像を汎用の画像再生プログラムで再生して撮影付属情報を確認することができる。したがって、撮影付属情報を確認するために従来のような専用の再生用プログラムを必要としない。
【００３４】
また、必要に応じて電子黒板装置１００に手入力で追加情報を入力できるため、現場において臨機応変に撮影付属情報を追加、変更することができる。
【００３５】
なお、上記実施の形態では、電子黒板装置１００に予め写真リストおよび撮影付属情報を入力しておき、電子黒板装置１００のＬＣＤ１０１に表示中の撮影付属情報をデジタルカメラ２００に送信するようにしたが、デジタルカメラ２００に予め写真リストおよび撮影付属情報を入力しておき、撮影の前に、撮影対象の撮影付属情報をデジタルカメラ２００側で選択し、その撮影付属情報を電子黒板装置１００に送信し表示させた後、撮影を実行するようにしてもよい（請求項２に対応）。
【００３６】
また、上記の例では、撮影写真リスト中の撮影の項目が「済」のものは、グレーアウト表示され選択できないようにしたが、グレーアウト表示されていても、そこをダブルタッチする等、通常の操作と異なる特定の操作を行うことにより選択可能とし、この場合はその写真を取り直せるようにしてもよい。
【００３７】
また、上記のように構成した電子黒板装置１００とチョーク等で書き込みを行う既存の黒板とを一体化すれば、電子黒板装置１００の本来の黒板としての使い勝手をより向上させることができる。
【００３８】
【発明の効果】
以上説明したように、本発明の撮影システムによれば、撮影対象に関する情報を含む撮影付属情報を、撮影画像と関連付けて記録することができ、かつ撮影付属情報を撮影シーンに容易に写し込むことができる。
【図面の簡単な説明】
【図１】本発明に係る撮影システムにおける電子黒板の形態例を示す外観図である。
【図２】本発明に係る撮影システムにおけるデジタルカメラの形態例を示す外観図である。
【図３】電子黒板装置の構成例を示すブロック図である。
【図４】デジタルカメラの構成例を示すブロック図である。
【図５】撮影写真リストおよび撮影付属情報の例を示す図である。
【図６】電子黒板装置に表示される撮影写真リスト（撮影付属情報選択画面）の例を示す図である。
【図７】デジタルカメラに記録される画像ファイルのデータ構造の例を示す図である。
【図８】電子黒板装置およびデジタルカメラの動作フローの概略を示すフロー図である。
【符号の説明】
１００：電子黒板装置
１０１：ＬＣＤ（表示手段）
１０２：タッチパネル（選択手段、追加情報入力手段）
１０３：アンテナ（送信手段）
１０４：ＣＰＵ（制御手段）
１６０：撮影写真リスト（撮影付属情報選択画面）
２００：デジタルカメラ
２０４：アンテナ（送信手段）
２１２：メモリカード（記録媒体）
２２２：ＣＰＵ（制御手段、記録手段）
２５５：撮影対象
【図１】
2004120370.tif 000003
【図２】
2004120370.tif 000004
【図３】
2004120370.tif 000005
【図４】
2004120370.tif 000006
【図５】
2004120370.tif 000007
【図６】
2004120370.tif 000008
【図７】
2004120370.tif 000009
【図８】
2004120370.tif 000010